(57)【特許請求の範囲】
【請求項１】
水平姿勢の略直方体状であって天井等に施設された引掛シーリングボディに引っ掛ける引掛爪を上面に有する引掛シーリング部と、前記引掛爪に接続された給電部および雌ねじ部を内側に有し外側に器具ホルダ係合用の突起を有するソケット部とを備え、前記突起を前記引掛シーリング部の長辺の外側面と同方向に向く位置に配置し、前記雌ねじ部は前記突起の裏側に部分的に形成されているねじ込みソケット。
【請求項２】
金型のパーティングラインが、前記引掛シーリング部の短辺を縁部とする側面の略中央を通り前記長辺を側縁とする側面に平行となるように成形された請求項１記載のねじ込みソケット。
【発明の詳細な説明】
【０００１】
【発明の属する技術分野】
この発明は、引掛シーリングを利用して取付ける照明器具に使用するねじ込みソケットに関するものである。
【０００２】
【従来の技術】
第１の従来例を図７および図８に示す。すなわち、この照明器具は、天井１００の引掛シーリングボディ１０１に引掛シーリングキャップの付いたアダプタ１０２を引掛けている。このアダプタ１０２はつば１０３およびランプソケット受金部１０４を有し、つば１０３にフランジ１０５およびグローブ１０６を係止している。つば１０３にフランジ１０５およびグローブ１０６を載せた状態でアダプタ１０２を引掛シーリングボディ１０１に引っ掛ける。１０７はランプ、１０８は引掛爪である。
【０００３】
第２の従来例を図９および図１０に示す。すなわち、この照明器具は、アダプタ１０２のランプソケット受金部１０４の外周にねじ部１０９を設け、このアダプタ１０２を天井１００の引掛シーリングボディ１０１に引掛け、ねじ部１０９にホルダナット１１０をねじ込み、ホルダナット１１０にフランジ１０５およびグローブ１０６を係止している。アダプタ１０２を引掛シーリングボディ１０１に取付けた後、フランジ１０５とグローブ１０６をセットし、ホルダナット１１０をねじ部１０９に締付けて固定する。
【０００４】
第３の従来例を図１１および図１２に示す。すなわち、この照明器具は、引掛シーリングボディに引っ掛けるアダプタ１０２の外周に逆Ｌ字形の係止溝１１１を形成し、先端に雌型のコネクタ１１２を設ける。アダプタ１０２の引掛爪１０８を引掛シーリングボディ１０１に引掛けた後、ホルダ１１３をアダプタ１０２に嵌合し、係止爪１１４が係止溝１１１に係合するようにホルダ１１３を差込み回転する。ホルダ１１３は、器具本体１２７を支持する内カバー１２０と、この内カバー１２０を摺動自在に外嵌する外カバー１２３と、内カバー１２０を上方に付勢するばね１２４とを有するものである。
【０００５】
そして、ホルダ１１３をアダプタ１０２に装着する際、器具本体１２７を内カバー１２０にセットし、ホルダ１１３をアダプタ１０２に押し上げて回すことにより係止爪１１４を係止溝１１１に係止し、ばね１２４により器具本体１２７を天井１００とホルダ１１３との間に保持する。また器具本体１２７の点灯回路（図示せず）に接続されたコード１２８の雄型のコネクタ１２６をコネクタ１１２に接続する。１３３は天井１００との密着性を増すためのウレタン等の緩衝材である。
【０００６】
【発明が解決しようとする課題】
第１の従来例は、引掛シーリングボディ１０１が角型、丸型および埋込型等の種類によって高さが異なるため、高さの異なるフランジを数種類同梱したり、ユーザが引掛シーリングボディ１０１の付け替えを行なったりしなければならなかった。またフランジ１００のないものでは、どのような引掛シーリングへの取付けも可能となるが、デザイン性を全く配慮できなくなり、見栄えが悪くなるという問題があった。
【０００７】
第２の従来例は、引掛シーリングボディ１０１をフランジ１０５で隠すためデザイン性のよい器具であり、しかもホルダ１１０のねじ部１０９の締め込み深さを調節できるので引掛シーリングボディ１０１の高さが異なっても対応できる。
しかし、このような器具では、ホルダ１１０を過度に締めつけるとフランジ１０５の端面が天井１００に突っ張るため引掛シーリングボディ１０１の刃に大きな力が加わることになる。引掛シーリングの刃に加わる力はＪＩＳ規格（JIS C8310)で一般に５kgf 以下とするように定められており、過度の力が加わると刃が変形して導通不良や接触不良になったり、器具が落下したりすると事故につながる恐れがある。
【０００８】
第３の従来例は、ホルダ１１３の内カバー１２０がばね１２４で上下動することにより引掛シーリングボディ１０２の高さ違いを吸収できるようになっている。
しかし、アダプタ１０２が円柱形でつば上に引掛爪１０８を設けているため、アダプタ１０２を手で把持して回しにくいので引掛シーリングボディ１０１への着脱操作が容易でなく、またアダプタの金型構造が複雑になるという欠点があった。
【０００９】
したがって、この発明の目的は、ソケットの着脱操作が容易にでき、また金型の製作を容易にすることができるねじ込みソケットを提供することである。
【００１０】
【課題を解決するための手段】
請求項１記載のねじ込みソケットは、水平姿勢の略直方体状であって天井等に施設された引掛シーリングボディに引っ掛ける引掛爪を上面に有する引掛シーリング部と、前記引掛爪に接続された給電部および雌ねじ部を内側に有し外側に器具ホルダ係合用の突起を有するソケット部とを備え、前記突起を前記引掛シーリング部の長辺の外側面と同方向に向く位置に配置し、前記雌ねじ部は前記突起の裏側に部分的に形成されているものである。
【００１１】
請求項１記載のねじ込みソケットによれば、引掛シーリング部を略直方体状にしているため、手で把持して回しやすく、また手の中指および薬指でソケット部を保持するが引掛シーリング部の短辺側の面に当たるので指の位置に突起が邪魔になることがない。また金型の構造を簡単にし金型の製作を容易にすることが可能になる。
【００１２】
また、前記雌ねじ部が前記突起の裏側に部分的に形成されているため、突起の裏側位置の雌ねじ部により突起が肉厚となるので突起の強度の確保が容易になる。
請求項２記載のねじ込みソケットは、請求項１において、金型のパーティングラインが、前記引掛シーリング部の短辺を縁部とする側面の略中央を通り前記長辺を側縁とする側面に平行となるように成形されたものである。
【００１３】
請求項２記載のねじ込みソケットによれば、請求項１の効果のほか、金型構造をより一層簡単にでき、金型製作期間の短縮および金型製作費用の削減ができる。また突起にパーティングラインがでないのでバリ等の発生やパーティング面のずれによる段差などが生じるおそれがなく、突起の係合に関する性能を安定することができる。また金型の深さが浅くなるため、抜き勾配を大きくせずにすみ、デザイン性に配慮できるとともに、成形後の金型からの製品抜き出しも容易になる。
【００１４】
【発明の実施の形態】
この発明の一実施の形態を図１ないし図６により説明する。すなわち、このねじ込みソケットは、引掛シーリング部４ａと、ソケット部６とを有する。
引掛シーリング部４ａは、水平姿勢の略直方体状であって、天井３等に施設された引掛シーリングボディ４に引っ掛ける引掛爪５を上面に有する。実施の形態において、一対の引掛爪５は取付ねじ３８により取付けられている。９はロック爪１０を出没するロック解除ボタンであり、ロック解除ボタン９を押してロック爪１０を後退した状態で引掛シーリングボディ４に引掛爪５を引掛け、ロック解除ボンタ９を離すことによりロック爪１０を突出させ引掛シーリングボディ４の凹部（図示せず）に係止して引掛シーリングボディ４の回転を規制し、これにより引掛シーリング部４ａの不用意な外れを防止している。１１はフランジ仮保持用つばであり、図２に示すようにフランジ１２の仮保持用爪１３が引っ掛かることができる。１ａ（図３）は引掛爪５を引掛シーリングボディ４に引掛けやすくするための引掛シーリングの合わせマークである。
【００１５】
ソケット部６は、引掛シーリング部４ａに一体に連結され垂下して、引掛爪５に接続された給電部および雌ねじ部６ａを内側に有し、外側に器具ホルダ係合用の突起７を有し、突起７を引掛シーリング部４ａの長辺４ｂの外側面の向きと同方向に向く位置に配置している。実施の形態において、突起７はソケット部６の相対向部に一対形成している。雌ねじ部６ａは白熱ランプまたは電球型蛍光ランプの口金をねじ込み装着するものであり、突起７の裏側にそれぞれ部分的に形成されている。給電部３０は中心接触片１４と側面接触片１５からなり、それぞれの基端部が引掛爪５にかしめ３１により接続されている。
【００１６】
このねじ込みソケットは、射出成形により一体に製作される。この場合、図１の矢印Ａ〜Ｄの各方向に金型がスライドするように、金型を構成する必要がある。そして、この実施の形態では、金型のパーティングラインＬが、引掛シーリング部４ａの短辺４ｃを縁部とする側面の略中央を通り、長辺４ｂを側縁とする側面に平行となるように成形されている。
【００１７】
ホルダ２は、アダプタ１に外挿する筒状であって、突起７に係合する逆Ｌ字形の係合溝８を設けた内筒１７を有し、この内筒１７に連結された外筒１８を有し、内筒１７と外筒１８との間に軸方向に移動自在な器具本体支持用の移動部材１９を有し、この移動部材１９を引掛シーリングボディ４側に付勢するばね２０を有する。フランジ１２およびグローブ４１を移動部材１９の器具支持部２４で支持して、ホルダ２の内筒１７をソケット部６に外挿し回転すると、突起７が係止溝８内を移動して係止する。このときばね２０の作用で移動部材１９によりフランジ１２が天井３に押圧固定され、グローブ４１がフランジ１２に押さえ固定される。
【００１８】
１６はソケット部６に装着されたランプである。
このねじ込みソケットは、フランジ１２を引掛シーリング部４ａに仮保持してから、グローブ４１とホルダ２を両手に持ち、ホルダ２の取付け作業を行なう。ホルダ２の取付け状態でフランジ１２がばね２０により天井に押付けられ、これによりフランジ１２およびグローブ４１が固定される。
【００１９】
この実施の形態によれば、引掛シーリング部４ａを略直方体状にしているため、手で把持して回しやすく、また図６に示すように、手の親指３２ａがロック解除ボタン９に対向するように親指３２ａおよび人指し指３２ｂで引掛シーリング部４ａを把持し、手の中指３２ｃおよび薬指３２ｄでソケット部６を保持するが、引掛シーリング部４ａの短辺４ｃ側の面に当たるので指３２ｃ，３２ｄの位置に突起７が邪魔になることがない。また金型の構造を簡単にし金型の製作を容易にすることが可能になる。
【００２０】
また雌ねじ部６ａが突起７の裏側に部分的に形成されているため、突起７の裏側位置の雌ねじ部６ａにより突起７が肉厚となるので突起７の強度の確保が容易になる。
さらに、金型のパーティングラインＬが、引掛シーリング部４ａの短辺を縁部とする側面の略中央を通り長辺４ｂを側縁とする側面に平行となるように成形されているため、金型構造をより一層簡単にでき、金型製作期間の短縮および金型製作費用の削減ができる。また突起７にパーティングラインＬがでないのでバリ等の発生やパーティング面のずれによる段差などが生じるおそれがなく、突起７の係合に関する性能を安定することができる。また金型の深さが短辺４ｃの長さの半分程度に浅くなるため、抜き勾配を大きくせずにすみ、デザイン性に配慮できるとともに、成形後の金型からの製品抜き出しも容易になる。
【００２１】
【発明の効果】
請求項１記載のねじ込みソケットによれば、引掛シーリング部を略直方体状にしているため、手で把持して回しやすく、また手の中指および薬指でソケット部を保持するが引掛シーリング部の短辺側の面に当たるので指の位置に突起が邪魔になることがない。また金型の構造を簡単にし金型の製作を容易にすることが可能になる。
【００２２】
また、突起の裏側位置の雌ねじ部により突起が肉厚となるので突起の強度の確保が容易になる。
請求項２記載のねじ込みソケットによれば、請求項１の効果のほか、金型構造をより一層簡単にでき、金型製作期間の短縮および金型製作費用の削減ができる。また突起にパーティングラインがでないのでバリ等の発生やパーティング面のずれによる段差などが生じるおそれがなく、突起の係合に関する性能を安定することができる。また金型の深さが浅くなるため、抜き勾配を大きくせずにすみ、デザイン性に配慮できるとともに、成形後の金型からの製品抜き出しも容易になる。
【図面の簡単な説明】
【図１】この発明の一実施の形態の斜視図である。
【図２】天井取付け状態の正面図である。
【図３】その引掛シーリング部の半断面側面図である。
【図４】ソケット部の部分断面図である。
【図５】ねじ込みソケットの底面図である。
【図６】ねじ込みソケットの把持状態の斜視図である。
【図７】第１の従来例の断面図である。
【図８】その分解斜視図である。
【図９】第２の従来例の分解斜視図である。
【図１０】その天井取付け状態の断面図である。
【図１１】第３の従来例の部分断面図である。
【図１２】そのアダプタにホルダを接続する前の斜視図である。
【符号の説明】
２    ホルダ
３    天井
４    引掛シーリングボディ
４ａ    引掛シーリング部
４ｂ    長辺
４ｃ    短辺
５    引掛爪
６    ソケット部
６ａ    雌ねじ部
７    突起
８    係合溝
３０    給電部
Ｌ    パーティングライン
【図１】
0003712783.tif 000002
【図２】
0003712783.tif 000003
【図３】
0003712783.tif 000004
【図４】
0003712783.tif 000005
【図５】
0003712783.tif 000006
【図６】
0003712783.tif 000007
【図７】
0003712783.tif 000008
【図８】
0003712783.tif 000009
【図９】
0003712783.tif 000010
【図１０】
0003712783.tif 000011
【図１１】
0003712783.tif 000012
【図１２】
0003712783.tif 000013